(57)【特許請求の範囲】
【請求項１】
筒状胴部４より肩部５を介して起立させた口部６上面中央より上方付勢状態で上下動可能に噴出用のステム７を突出させるとともに、該ステムの押し下げにより内部の液を泡状に噴出する如く構成したエアゾール容器体２と、該容器体の上端部に嵌着固定させた櫛型吐出具３とからなり、該吐出具は、上記容器体口部６外周に嵌着させた嵌合筒１１を裏面中央部より垂設し且つ中央部に穿設した窓孔１２より上記ステム７を突出させた頂壁１３上面外周縁部より固定筒１５を立設してなる取り付け筒部材８と、上記固定筒１５外周に嵌着固定させた大径の基筒部１７上端よりフランジ部１８を介して縮径した有頂の支持筒部１９を上方へ起立させるとともに、該支持筒部の上部前面より縦列する多数の櫛歯２０を突設し、且つ、上記支持筒部上部前壁に複数の吐出孔２１を縦列して穿設させた吐出具本体９と、上記ステム７上端外周に下端を嵌着固定した注出筒部２６の上端部を上記支持筒部１９内下部へ摺動パッキン２５を介して上下摺動可能に嵌合させるとともに、該注出筒部２６後部に突設した押し釦２８の上端部を上記フランジ部１８に穿設した窓孔２７より突出させて押し下げ可能に構成した押し釦部材１０とを備え、上記本体の各吐出孔２１前面を被覆してその上下両端部を上記支持筒部１９前壁に小幅の前後動が可能に且つ抜け出し不能に嵌合させた被覆板３４を設けてなることを特徴とする櫛型吐出具を備えたエアゾール容器。
【請求項２】
上記支持筒部１９の前面に少なくとも二縦列する多数の櫛歯２０を突設するとともに、上記各吐出孔２１及び被覆板３４を各櫛歯縦列間に設けてなる請求項１記載のエアゾール容器。
【請求項３】
上記吐出孔２１の径が上方へ行くに従ってその大きさを単調増加させる請求項１又は２のいずれかに記載のエアゾール容器。
【発明の詳細な説明】
【０００１】
【産業上の利用分野】
本発明は櫛型噴出具を備えたエアゾール容器に関する。
【０００２】
【従来の技術】
エアゾール容器として、上端に上方付勢状態で上下動可能にステムを突設し、該ステムを押し下げることにより、内部の吐出弁が開弁して、収納液を泡状に吐出する如く構成したエアゾール容器体と、該ステムに嵌着固定して内部に前方注出孔に至る液通路を設けてなる筒状ヘッドとからなるものが極一般的に知られている。
【０００３】
これらは、ヘッドを押し下げることによりステムが押し下げられ、容器体内部の押し下げ開弁式の吐出弁が開いて、泡状に形成された液がステム上端より通液路を介してヘッドの注出孔より噴出される如く構成している。
【０００４】
また、最近では、この様な容器の応用として、上記ヘッドに代えて櫛型吐出具を備えたものも提案されている。これらの容器として、例えば、ステムに注出筒部下端を嵌合させて装着し、注出筒部の上端前部より多数の櫛歯を前方へ突設し、また、櫛歯基端部分の注出筒部に複数の吐出孔を穿設してなるものがある。これらは、例えば、注出筒部下部外周より突設した押し下げ用のフランジを押し下げることにより、容器体内の液が泡状のステムより噴出し、吐出孔を通して櫛歯に吐出され、頭髪を櫛解きながら泡状の液を塗布することができる優れたものである。
【０００５】
【発明が解決しようとする課題】
しかしながら、従来のこの種容器では、各吐出孔より噴出する泡が吐出孔前方へ勢いよく飛び出していまう不都合が生じていた。
【０００６】
そこで、本発明の目的の一つは、簡単な構造の被覆板を設けることによりこの様な泡の不用意な飛び出しを防止できる櫛型吐出具を備えたエアゾール容器を提案するものである。
【０００７】
また、本発明の目的の一つは、上記目的に加えて、櫛歯に効率よく泡を吐出することができる液の無駄のない容器を提案するものである。
【０００８】
また、本発明の目的の一つは、上記目的に加えて、櫛歯に噴出される泡が全体に略均一に噴出される容器を提案するものである。
【０００９】
また、本発明の目的の一つは、上記目的に加えて、取り扱いが便利な容器を提案するものである。
【００１０】
【課題を解決するための手段】
本請求項１発明の容器は上記課題を解決するため、筒状胴部４より肩部５を介して起立させた口部６上面中央より上方付勢状態で上下動可能に噴出用のステム７を突出させるとともに、該ステムの押し下げにより内部の液を泡状に噴出する如く構成したエアゾール容器体２と、該容器体の上端部に嵌着固定させた櫛型吐出具３とからなり、該吐出具は、上記容器体口部６外周に嵌着させた嵌合筒１１を裏面中央部より垂設し且つ中央部に穿設した窓孔１２より上記ステム７を突出させた頂壁１３上面外周縁部より固定筒１５を立設してなる取り付け筒部材８と、上記固定筒１５外周に嵌着固定させた大径の基筒部１７上端よりフランジ部１８を介して縮径した有頂の支持筒部１９を上方へ起立させるとともに、該支持筒部の上部前面より縦列する多数の櫛歯２０を突設し、且つ、上記支持筒部上部前壁に複数の吐出孔２１を縦列して穿設させた吐出具本体９と、上記ステム７上端外周に下端を嵌着固定した注出筒部２６の上端部を上記支持筒部１９内下部へ摺動パッキン２５を介して上下摺動可能に嵌合させるとともに、該注出筒部２６後部に突設した押し釦２８の上端部を上記フランジ部１８に穿設した窓孔２７より突出させて押し下げ可能に構成した押し釦部材１０とを備え、上記本体の各吐出孔２１前面を被覆してその上下両端部を上記支持筒部１９前壁に小幅の前後動が可能に且つ抜け出し不能に嵌合させた被覆板３４を設けてなることを特徴とする櫛型吐出具を備えたエアゾール容器として構成した。
【００１１】
また、請求項２発明の容器は、上記支持筒部１９の前面に少なくとも二縦列する多数の櫛歯２０を突設するとともに、上記各吐出孔２１及び被覆板３４を各櫛歯縦列間に設けてなる請求項１記載のエアゾール容器として構成した。
【００１２】
また、請求項３発明の容器は、上記吐出孔２１の径が上方へ行くに従ってその大きさを単調増加させる請求項１又は２のいずれかに記載のエアゾール容器として構成した。
【００１３】
【作用】
図１の状態から押し釦２８を押し込むと、押し釦部材１０が下がり、それに伴ってステム７が押し下げられて容器体内の液が泡状にステム７上端より噴出される。噴出された泡は注出筒部２６を介して支持筒部１９内を通り各吐出孔２１より吐出され、被覆板３４の両側から各櫛歯２０に供給される。この際、被覆板３４の存在で、各吐出孔２１の泡が前方へ勢いよく飛び出すことは無い。
【００１４】
また、各吐出孔２１は下方より上方へ行くに従ってその形の大きさを単調増加させ、各孔からの吐出量を略均一にしている。
【００１５】
押し釦２８の押圧を解除すると、ステム７の上方付勢力で押し釦部材１０が上昇し、元の押し釦２８突出状態となるとともに、容器体内の弁が閉じて泡の噴出が停止する。
【００１６】
【実施例】
以下、本発明の実施例を図面を参照して説明する。
【００１７】
図１乃至図５は本発明の一実施例を示すもので、図中１は櫛型吐出具を備えたエアゾール容器を示す。該容器１は、エアゾール容器体２と、櫛型吐出具３とから構成している。
【００１８】
エアゾール容器体２は、筒状胴部４上端より肩部５を介して小径の口部６を起立させ、該口部６上面中央より上方付勢状態で上下動可能にステム７を突出させ、該ステム７を押し下げることにより、収納液を泡状にステム上端より吐出する如く構成した公知の泡噴出機構を有するものである。
【００１９】
また、櫛型吐出具３は、取り付け筒部材８と、吐出具本体９と、押し釦部材１０とを備えている。
【００２０】
取り付け筒部材８は合成樹脂等により形成されたもので、容器体口部６外周に嵌着させた嵌合筒１１を裏面中央より垂設し、且つ中央部に穿設した窓孔１２より上記ステム７を突出させた頂壁１３周縁部より、容器体肩部５外周縁部に垂下する周壁１４を垂設し、また、頂壁１３上面外周縁部より上方へ、吐出具本体９を嵌着固定させるための固定筒１５を立設して構成している。上記嵌合筒１１内面には突条１６を周設し、該突条１６を容器体口部６外周下部に周設した下向きの段部に係合させて、容易に抜け出さない様に構成している。
【００２１】
吐出具本体９は合成樹脂等により形成されたもので、上記固定筒１５外周に嵌着固定させた大径の基筒部１７上端縁より内方へ上昇するテーパ状のフランジ部１８を延設し、該フランジ部１８内周縁部より有頂の支持筒部１９を上方へ起立させている。また、支持筒部１９の上部前面より縦列する多数の櫛歯２０を突設し、更に、上記支持筒部１９上部前壁に複数の吐出孔２１を縦列して穿設させている。
【００２２】
本実施例に於いて、取り付け筒部材８の上記固定筒１５外面左右に正面視横Ｌ字型の嵌合溝２２を凹設し、一方、基筒部１７内面左右下部所定位置には、上記嵌合溝２２の縦長溝部２２ａ  の横幅と略同じ横幅で、嵌合溝２２の横長溝部２２ｂ  の上下幅と略同じ上下幅の矩形状をなす突起２３を突設し、該突起を嵌合溝２２の縦長溝部２２ａ  上方より押し込み嵌合させた後、基筒部１７を所定方向へ回動させることにより、上記横長溝部２２ｂ  に嵌合させて上方への抜け出しを不能に嵌着させる如く構成している。尚、図中２４は上記突起２３が乗り越え係合する係止突起で、基筒部１７が不用意に回動するのを防止するために設けている。
【００２３】
また、本実施例に於いて、支持筒部１９前面より前方へ、縦二列の櫛歯２０を突設しており、各櫛歯縦列間に吐出孔２１を上下略等間隔を開けて複数穿設している。更に、各吐出孔２１の径は下方より上方へ行くに従ってその大きさを単調増加させる如く構成している。この様に構成することにより、上方に行くに従って低くなる吐出圧による吐出量の減少を補正して出来るだけ均一に各吐出孔２１より泡を吐出することができる様に構成している。各孔の径の具体的数値はその吐出具本体９の大きさや容器体２の液の噴出力等により好ましい数値を適宜選択すれば良い。
【００２４】
本実施例では、各吐出孔の径を下から１．２ミリ，１．３ミリ，２ミリ，２ミリに構成している。
【００２５】
押し釦部材１０は合成樹脂等により形成されたもので、上記ステム７上端外周に下端を嵌着固定し且つ上端部を上記支持筒部１９内下部へ摺動パッキン２５を介して上下摺動可能に嵌合させた注出筒部２６を有し、且つ、吐出具本体９の上記フランジ部１８に穿設した窓孔２７より上端部を押し込み可能に突出させた押し釦２８を一体に設け構成している。
【００２６】
本実施例では、注出筒部２６は中途で僅かに前方へ軸心をずらして構成しており、このずれた部分の上向き段部部分より後方へ矩形状の連結板２９を突設し、該連結板後端縁に下端面開孔の台形筒状をなす押し釦２８の前壁下端縁を一体に連結している。また、吐出具本体９の上記フランジ部１８裏面後部所定位置より垂設した一対の案内板３０により押し釦２８の上下動を案内し、各案内板３０内面下端部に突設した返し３１により吐出具本体９に装着した際の抜け落ちを防止している。また、上記注出筒部２６の軸心をずらした下向きの段部位置から前方へ矩形状の板部３２を突設し、該板部両側に上記フランジ部１８裏面より一対の案内板３３を垂設して上記各案内板３０による案内とともに、押し釦部材１０の安定的な上下動を図っている。
【００２７】
また、摺動パッキン２５はエラストマー等の柔軟で弾力性の有る材質で構成した筒状をなし、注出筒部２６の上部外面に周設した帯状凹溝に取り外し不能に嵌着固定し（接着しても良い）外面を支持筒部１９下部内面に液密且つ上下摺動可能に嵌合させている。
【００２８】
本発明では、吐出具本体９の各吐出孔２１部分に被覆板３４を設けている。該被覆板３４は、各吐出孔２１前面を被覆してその上下両端部を上記支持筒部１９前壁に小幅の前後動が可能に且つ抜け出し不能に嵌合させている。
【００２９】
本実施例では、上記した縦二列に形成された櫛歯縦列間の各吐出孔２１を被覆して、縦長矩形状の被覆板３４を設けている。この被覆板３４は、上下両端縁より後方へ、後端上面及び下面にそれぞれ返しを突設した嵌合突起３５を突設し、各突起３５を支持筒部１９前壁部所定位置に穿設した透孔に抜け出し不能に且つ小幅の前後動が可能に嵌合させて構成している。
【００３０】
上記の如く構成した容器１を成形する場合には、例えば、個々に各部材を形成し、容器体２上方より取り付け筒部材８を押し込んで嵌着固定させ、別に、押し釦部材１０を下方より嵌着固定させた吐出具本体を用意し、その注出筒部１９下端をステム７上端に嵌合させるとともに、吐出具本体の基筒部１７を取り付け筒部材の固定筒１５に嵌着固定させて行える。
【００３１】
【発明の効果】
以上説明した如く本発明容器は、被覆板を設けたので、泡の吐出の際に前方へ勢いよく吹き出してしまうという様な不都合を解消できるものである。
【００３２】
また、容器体を持って櫛解きながら押し釦を押して泡を吐出することが出来るため、取り扱いが極めて便利である。
【００３３】
また、請求項２発明の容器では、上記効果に加えて、被覆板両側より吐出された泡状の液が両側の各櫛歯に沿ってその先端方向へ案内され、各櫛歯に効率良く供給できるものである。
【００３４】
また、請求項３発明の容器では、上記各効果に加えて、各噴出孔より噴出する泡の量を略均一にすることが出来、各櫛歯にまんべんなく泡を供給することができるものである。
【図面の簡単な説明】
【図１】本発明の一実施例を示す側面からみた断面図である。
【図２】同実施例の正面からみた半断面図である。
【図３】同実施例の容器体に取り付け筒部材を装着した状態の要部斜視図  である。
【図４】同実施例の吐出具本体に押し釦部材を装着した状態の底面図である。
【図５】同実施例の吐出具本体に押し釦部材を装着した状態の平面図である。
【符号の説明】
２…エアゾール容器体，３…櫛型吐出具，４…胴部，５…肩部，６…口部，
７…ステム，８…取り付け筒部材，９…吐出具本体，１０…押し釦部材，
１２…窓孔，１３…頂壁，１５…固定筒，１７…基筒部，１８…フランジ部，
１９…支持筒部，２０…櫛歯，２１…吐出孔，２５…摺動パッキン，２６…注出筒部，
２７…窓孔，２８…押し釦，３４…被覆板
【図１】
0003596780.tif 000002
【図２】
0003596780.tif 000003
【図３】
0003596780.tif 000004
【図４】
0003596780.tif 000005
【図５】
0003596780.tif 000006